(57)【要約】【課題】特性の優れた新規な形状のスピーカ装置を提供することを目的とする。【解決手段】このため本発明では、キャビネットに複数のスピーカユニットを収納させて構成されるスピーカ装置において、キャビネットのバッフル面１０１ａを所定の曲率で外側に突出した曲面とする。そして、各スピーカユニットが備える振動板１２０Ｌ，１２０Ｒを、バッフル面１０１ａの曲率とほぼ同一の曲率で外側に突出した形状とし、振動板１２０Ｌ，１２０Ｒをバッフル面１０１ａから露出させて、ほぼ連続した曲率の曲面形状となるように配置した。このようにスピーカ装置のバッフル面と複数の振動板の双方が、ほぼ同一の曲率の曲面形状としたことで、複数の振動板の振動による音の出力を効率良く行うことができ、周波数特性や指向特性を改善することができる。【選択図】図１
2010081441.tif 000002
【特許請求の範囲】
【請求項１】
キャビネットに複数のスピーカユニットを収納させて構成されるスピーカ装置において、
前記キャビネットのバッフル面を所定の曲率で外側に突出した曲面とし、
前記複数のスピーカユニットが備えるそれぞれの振動板を、前記所定の曲率とほぼ同一の曲率で外側に突出した形状とし、
前記複数の振動板を前記バッフル面のそれぞれ異なる位置から露出させて、ほぼ連続した曲率の曲面形状となるように配置したことを特徴とするスピーカ装置。
【請求項２】
請求項１記載のスピーカ装置において、
前記バッフル面が取り付けられたスピーカボックス全体についても、バッフル面の曲面と連続する曲面として、スピーカボックスを球形としたことを特徴とするスピーカ装置。
【請求項３】
請求項１記載のスピーカ装置において、
前記複数の振動板で構成されるそれぞれのスピーカユニットに、それぞれ別のチャンネルのオーディオ信号を供給して、ステレオ音響が再生されるようにしたことを特徴とするスピーカ装置。
【発明の詳細な説明】
【技術分野】
【０００１】
本発明は、スピーカボックスにスピーカユニットを収納させて構成される、ハイファイオーディオ再生用のスピーカ装置に関する。
【背景技術】
【０００２】
従来、ハイファイオーディオ再生用のスピーカ装置としては、例えば図１６に示す構成である。即ち、角型のスピーカボックス１の前面のバッフル板２に、スピーカユニット３，４を配置して構成される。各スピーカユニット３，４としては、例えばスピーカユニット３は中低域音を再生するユニットであり、スピーカユニット４は高域音を再生するユニットである。中低域音を再生するスピーカユニット３が備える振動板は、例えばコーン型の振動板である。高域音を再生するスピーカユニット４は、例えばドーム型の振動板である。
【０００３】
スピーカボックス１は、例えば木材を組み合わせて作成してあり、使用するスピーカユニット３，４に合わせたサイズのボックスが使用される。バッフル板２についても、通常は平面板である。特許文献１には、この種のスピーカ装置の一例についての記載がある。
【特許文献１】特開２００６−１７４０７７号公報
【発明の開示】
【発明が解決しようとする課題】
【０００４】
ところで、広く普及している角型のスピーカボックスにコーン型のスピーカユニットを収納させたスピーカ装置については、音質改善のために各種改良が行われているが、振動板そのものがコーン型でバッフルからボックス内に窪んだ形状であり、その窪んだ形状のために、スピーカ装置から出力される音の広がり状態 が必ずしも自然な状態とは言えず、そのために特性の劣化があった。具体的には、コーン型振動板によるバッフル面からの窪みがあるために、回析効果による軸 上特性、指向特性の劣化がある。
また、スピーカボックスそのものの形状についても、角型であるために、ボックス内での音の伝わり状態が均一とは言えず、そのための特性劣化がある問題があった。即ち、バッフル端部からの音の反射、キャビネット内部での反射音が不要な音をもたらし、音を劣化させていた。
【０００５】
本発明はこれらの点に鑑みてなされたものであり、特性の優れた新規な形状のスピーカ装置を提供することを目的とする。
【課題を解決するための手段】
【０００６】
本発明は、キャビネットに複数のスピーカユニットを収納させて構成されるスピーカ装置において、キャビネットのバッフル面を所定の曲率で外側に突出した曲面とする。そして、スピーカユニットが備えるそれぞれの振動板を、バッフル面の曲率とほぼ同一の曲率で外側に突出した形状とし、複数の振動板をバッフル面のそれぞれ異なる位置から露出させて、ほぼ連続した曲率の曲面形状となるように配置したものである。
【発明の効果】
【０００７】
本発明によると、スピーカ装置のバッフル面と、複数配置した振動板の双方が、ほぼ同一の曲率の曲面形状としたことで、振動板の振動による音の出力を効率良く行うことができ、周波数特性や指向特性を改善することができる。
【発明を実施するための最良の形態】
【０００８】
以下、本発明の第１の実施の形態を、図１〜図６を参照して説明する。
図１〜図３は、本実施の形態の例によるスピーカ装置の外観形状を示した斜視図である。図１は正面側の斜視図であり、図２は斜め左側から見た斜視図であり、図３は上面から見た図である。図４は、本実施の形態の例によるスピーカ装置の縦断面図である。図５は、本実施の形態の例によるスピーカ装置が備えるスピーカユニット単体で示した斜視図である。
【０００９】
これらの各図を参照して構成を順に説明すると、本実施の形態においては、図１及び図２に示すように、スピーカ装置１００として、卵型形状の球形のスピーカボックス１０１をキャビネットとして使用して構成させる。卵型形状は一例であり、その他の球形としてもよい。例えば完全な球形としてもよい。なお、図３は、図１に示した頂点ｔの位置が中心になるようにして示した図である。
【００１０】
卵型形状の球形のスピーカボックス１０１は、例えば木材、合成樹脂などで構成させる。図１，図２の例では、卵型に楕円形状となったスピーカボックス１０１を、縦長に直立させた状態としてある。スピーカボックス１０１のサイズとしては、種々のサイズが適用可能であるが、例えば一例としては高さ２０ｃｍ程度とする。図１，図２の例では、スピーカボックス１０１の底部についても円形としてあり、そのままでは直立させることが困難であるが、図示しない脚部を底面に取り付けたり、或いは、スピーカボックス１０１の底面の外側を平面状として、容易に直立状態で設置できる形状としてもよい。
【００１１】
卵型形状のスピーカボックス１０１の側面には、２つのスピーカユニット１１０（図４）を配置するためのバッフル部１０１ａを構成させてあり、それぞれのバッフル部１０１ａにスピーカユニット配置用の透孔１０１ｂが設けてある。但し、本例の場合にはスピーカボックス１０１が一体に卵型形状をしているので、２つのバッフル部１０１ａは、スピーカボックス１０１の他の部分と一体に接続された状態となっており、２つのバッフル部１０１ａと他の部分とがほぼ同一の曲率の曲面で連続している。２つのバッフル部１０１ａの透孔１０１ｂは、図３に上面から見た状態で示すように、相互に１８０°離れた位置に配置してある。それぞれのバッフル部１０１ａをスピーカボックス１０１の他の部分と別体で構成させてもよい。図１の例では、透孔１０１ｂは中央から若干下の位置に配置してある。
【００１２】
それぞれのバッフル部１０１ａの透孔１０１ｂには、図１に示すように、スピーカユニット１１０の振動板１２０Ｌ，１２０Ｒが配置してある。それぞれの振動板１２０Ｌ，１２０Ｒは、透孔１０１ｂより若干小さいサイズとしてある。
本例の場合には、バッフル部１０１ａそのものが卵形形状に立体的な曲面となっているが、それぞれの振動板１２０Ｌ，１２０Ｒの表面についても、それぞれのバッフル部１０１ａと連続した曲面となるように、それぞれのバッフル部１０１ａとほぼ同一の曲率の立体的な曲面に形成させてある。従って、図１に示すように組み立てられた状態では、バッフル部１０１ａと振動板１２０Ｌ，１２０Ｒとで連続した曲面が構成され、それぞれの振動板１２０Ｌ，１２０Ｒの周囲とそれぞれのバッフル部１０１ａとの間に、環状に溝が配置された状態となっている。なお、図２では２つの振動板１２０Ｌ，１２０Ｒの内の一方の振動板１２０Ｒが裏側に隠れた状態で破線で示してある。
各スピーカユニット１１０の振動板１２０Ｌ，１２０Ｒの裏側のスピーカボックス１０１内の空間は、それぞれ壁１４０（図４参照）で仕切られており、相互に干渉しない構成としてある。
【００１３】
それぞれのスピーカユニット１１０にオーディオ信号を供給する端子（図示せず）については、例えば卵型形状のスピーカボックス１０１の底面などの比較的目立たない位置に配置する。２つのスピーカユニット１１０には、同じオーディオ信号を供給して同じ音響を再生させるようにする。この同じオーディオ信号を２つのスピーカユニット１１０に供給した場合には、スピーカ装置１００の周囲３６０°に同じ音が広がって再生される。
或いは、左側の振動板１２０Ｌを有するスピーカユニット１１０に、左チャンネル用のオーディオ信号を供給し、右側の振動板１２０Ｒを有するスピーカユニット１１０に、右チャンネル用のオーディオ信号を供給して、２チャンネルオーディオ信号によるステレオ再生が行えるようにしてもよい。この２チャンネルオーディオ信号によるステレオ再生を行う構成とした場合には、スピーカ装置１００を配置した位置の左側で左チャンネルの音が広がり、スピーカ装置１００を配置した位置の右側で右チャンネルの音が広がり、２チャンネルのステレオ再生が、スピーカ装置１００を配置した位置を中心として良好に行える。
【００１４】
次に、図４を参照して本実施の形態のスピーカ装置１００の内部構成例について説明する。スピーカボックス１０１の内部は、各スピーカユニット１１０を配置する位置ごとに個別の空間が形成されるように仕切り１４０で区切ってある。スピーカボックス１０１の２つのバッフル部１０１ａの各透孔１０１ｂには、それぞれ別のスピーカユニット１１０を配置する。それぞれのスピーカユニット１１０は、図５に示すように、金属製の円形のフレーム１１１の内部に各部材を配置して構成される。
図４の断面図に示したように、それぞれのスピーカユニット１１０は、フレーム１１１の中央部に、磁石１１２ａとヨーク１１２ｂなどで構成される磁気回路１１２が配置してあり、その磁気回路１１２のギャップ１１２ｃに、コイルボビン１１３に巻回されたボイスコイル１１３ａを近接して配置してある。ボイスコイル１１３ａには、スピーカ装置の端子（図示せず）から信号線を介してオーディオ信号が供給される構成としてあり、その供給されるオーディオ信号に応じて、コイルボビン１１３が振動する。
【００１５】
コイルボビン１１３の先端には、振動板１２０Ｌ又は１２０Ｒが取り付けてある。図４の例では、コイルボビン１１３と振動板１２０Ｌ又は１２０Ｒとの接続部に、補強材１１５が取り付けてある。振動板１２０は、既に説明したように、スピーカボックス１０１の形状と連続する曲面形状としてあり、振動板１２０のエッジ部１２１が、接続部材１１６を介してフレーム１１１の外周部１１１ａに接続してある。コイルボビン１１３は、ダンパ１１４を介してフレーム１１１に接続してある。
【００１６】
図４に示したように、各スピーカユニット１１０に取り付けられた振動板１２０Ｌ及び１２０Ｒは、側面部１２２がエッジ部１２１から若干立ち上がって、その立ち上がった位置から、バッフル部１０１ａと同一曲率の曲面状となるように、若干弓なりに湾曲して突出した状態としてある。このような形状の振動板１２０Ｌ及び１２０Ｒは、例えば木材を削りだして構成させるか、或いは、樹脂成型により構成させる等、種々の素材により構成させることが可能である。この図５に示した各スピーカユニット１１０は、低域音から高域音までを再生する、いわゆるフルレンジ型のスピーカユニットとして構成してある。但し、後述する変形例（図１５の例）では、高域音を別のユニットから再生させる構成としてある。
【００１７】
図４の説明に戻ると、各スピーカユニット１１０のフレーム１１１の外周部１１１ａは、制振材１１７を介して、スピーカボックス１０１のバッフル部１０１ａの背面に取り付けてある。
なお、図示はしないが、卵形のスピーカボックス１０１の内側のほぼ中央となる位置には、吸音材を配置してもよい。
【００１８】
このように配置されることで、スピーカユニット１１０の側面の２カ所に配置された振動板１２０Ｌ及び１２０Ｒは、図１や図４に示すように、スピーカボックス１０１全体の曲面と一体化した曲面として配置されるようになる。また、振動板１２０Ｌ及び１２０Ｒは、図４に示すように側面部１２２がエッジ部１２１から若干立ち上がる形状としてあるため、バッフル部１０１ａでは振動板１２０だけが見えた状態となり、フレーム外周部１１１ａなどは隠された形状となる。
【００１９】
このように構成される本実施の形態によるスピーカ装置１００は、特性として優れたものが得られる。即ち、以下に示す効果を有する。
１）回折効果が少ない。
２）窪みによる特性劣化が無い。
３）指向特性にピークディップが少なくなり良好になる。
４）回折、窪み効果による２次音源が発生しない為、音の解像度が向上する。
５）キャビネット内に定在波がたちにくいので音質が向上する。
６）特に音源（振動板）とキャビネットの形状が、人間における口と頭部形状の関係に似てくるため、音声の再現に優れたシステムになる。
７）キャビネット形状が形状的に強い構造となる為、キャビネット振動が減少し、音質が向上する。
８）定在波、キャビネット振動共に特定の振動が発生しにくい構造となるので、音質が向上する。
【００２０】
回折効果が少ない効果は、スピーカユニット１１０と各振動板１２０Ｌ及び１２０Ｒとが卵型で連続した球形であり、従来の角型のバッフルとした場合に、そのバッフルの端部（角部）で発生していた回折効果が減少するためである。窪みによる特性劣化が無い点は、従来のコーン型振動板と異なり、バッフルからの窪みが全くないと共に、振動板とバッフルとがほぼ同一曲率で連続した曲面形状のためである。指向特性の改善についても同様である。音源（振動板）とキャビネットの形状が、人間における口と頭部形状の関係に似てくるため、音声の再現に優れたシステムになる点は、例えば高さ２０ｃｍ程度の卵型のスピーカボックスとして構成させた場合、そのスピーカボックス（キャビネット）が、人間の頭部に近似した形状となり、人間における口と頭部形状の関係に似た状態となって、人間が話す場合と類似した音声出力状態となるためである。
【００２１】
なお、本実施の形態のように卵型として構成した場合、内部定在波の替わりに、キャビネット内のほぼ中心に焦点を結ぶが（卵型は完全な球ではないので焦点は若干分散するが）、その中心位置に吸音材を配置することで、効果的に内部音を吸音することが出来る。従来の角型のスピーカボックスの場合には、定在波などを防止するために吸音材を配置する場合には、キャビネットの背面などに沿って比較的多量の吸音材を配置する必要があったが、本例の場合には、ほぼ焦点位置に相当する中心位置の近傍に比較的少ない量の吸音材を配置するだけで、キャビネット内の中心位置に集まった音が効果的に吸音され、少ない量の吸音材で高い効果が得られる。
【００２２】
そして本実施の形態のスピーカ装置の場合には、２つのスピーカユニット１１０を、ほぼ１８０°異なる位置に配置したことで、スピーカ装置１００の周囲３６０°でほぼ均一な特性で音響再生されるようになる。
図６は、本実施の形態のスピーカ装置の１つのスピーカユニット１１０から出力される音の水平面での３６０°の指向特性を各周波数帯域で示した図であり、０°が正面である。図６（ａ）が本実施の形態の例であり、図６（ｂ）が比較のために示した従来の箱形のスピーカボックスでコーン形スピーカユニットを使用した例である。図６に示した各数値は周波数の値であり、ここでは１０００Ｈｚ，２０００Ｈｚ，７０００Ｈｚ，２００００Ｈｚを示してある。１０００Ｈｚが実線、２０００Ｈｚが破線、７０００Ｈｚが一点鎖線、２００００Ｈｚが二点鎖線で示してある。
図６（ｂ）に示した従来のスピーカ装置の場合には、周波数が高くなるに従って、背面側でかなりのレベル低下があり、正面から９０°の角度でも、高域になるに従って大きな下ベル低下があることがわかる。これに対して、図６（ａ）の本実施の形態のスピーカ装置の場合には、正面から±９０°を越える範囲で、高域までほぼ均一なレベルが維持されていることが判る。
従って、図１〜図４に示したように２つのスピーカユニット１１０を１８０°異なる位置に配置することで、それぞれのスピーカユニット１１０の振動板１２０Ｌ又は１２０Ｒから出力される音は、正面から±９０°の範囲内の音となり、スピーカ装置に対してどの角度位置にいる人に対しても、周波数特性が良好な音を聞かせることができるようになる。
先に説明したように、２つのスピーカユニット１１０に同じオーディオ信号を供給した場合には、どの角度位置にいるリスナーに対しても、同じ音を聞かせることが可能となる。また、２つのスピーカユニット１１０に２チャンネルのステレオオーディオ信号の各チャンネルの信号を供給した場合には、位置に応じたチャンネルの音を聞かせることが可能となる。
【００２３】
次に、本発明の他の実施の形態の例について、図７以降の図を参照して順に説明する。この図７以降の図において、一実施の形態の例として説明した図１〜図６に対応する部分には同一符号を付す。
まず、図７及び図８を参照して、卵型形状の球形のスピーカボックス１０１を有するスピーカ装置１００のバッフル部１０１ａへのスピーカユニットの振動板の取付け状態の他の例を示す。図７は斜視図であり、図８は断面図である。
この図７及び図８の例のスピーカ装置１００では、図７に示すように、各振動板１２０Ｌ，１２０Ｒの縁部に、突起状のリブ１２３を環状に設ける。そして、図８に断面で示すように、そのリブ１２３の縁をスピーカユニット１１０のフレーム１１１の縁部と接続させてあり、そのフレーム１１１の縁部を、透孔１０１ｂの縁に接着させて、バッフル部１０１ａに取付ける構成とする。その他の部分は、図１例のスピーカ装置１００と同様に構成する。
【００２４】
この図７，図８例のスピーカ装置１００の場合には、図７に示すように各振動板１２０Ｌ，１２０Ｒとバッフル部１０１ａとの間に、突起状のリブ１２３が存在することになるが、このリブ１２３の突出量はわずかであり、スピーカ装置全体の球形形状が持つ特性の良さを損なうことがなく、図１例のスピーカ装置に場合と同様の良好な指向特性などが得られる。
【００２５】
次に、図９及び図１０を参照して、スピーカユニット１１０を３個配置した例について説明ずる。図９は正面から見た図であり、図１０は上面から見た図である。図９及び図１０において、ｔは卵型形状の球形のスピーカボックス１０１の頂点を示し、図１０はその頂点を中心に示してある。
【００２６】
この例では、図１０に示すように、卵型形状の球形のスピーカボックス１０１を有するスピーカ装置１００の側面に、１２０°間隔で均等に３つのバッフル部１０１ａを配置して、それぞれのバッフル部１０１ａに透孔１０１ｂを設ける。各バッフル部１０１ａの裏側のスピーカボックス１０１内の空間は、それぞれ個別に仕切られた空間として、各スピーカユニット１１０が相互に干渉しない構成としてある。それぞれの透孔１０１ｂには、それぞれ別のスピーカユニット１１０を配置し、３つの振動板１２０Ｘ，１２０Ｙ，１２０Ｚが透孔１０１ｂに収まるようにする。図９では、２つの振動板１２０Ｘ，１２０Ｙが見えた状態となっており、裏側の振動板１２０Ｚは破線で示してある。
【００２７】
このように３つのスピーカユニットの振動板１２０Ｘ，１２０Ｙ，１２０Ｚを配置することで、卵型形状の球形のスピーカボックス１０１の側面から、３つの方向に音が出力されることになり、スピーカボックス１０１の周囲のどの角度位置にいる人に対しても、周波数特性が良好な音を聞かせることができるようになる。即ち、既に説明した図６に示したように、本例のスピーカ装置として構成させることで、１つの振動板から出力される音の周波数特性が、広い角度範囲で良好であるが、図１例のように１８０°間隔で２つのスピーカ装置を設ける場合よりも、さらに周波数特性が良好な角度範囲で使用でき、スピーカ装置としての特性を改善できる。
【００２８】
３つの振動板１２０Ｘ，１２０Ｙ，１２０Ｚを駆動するスピーカユニットには、全て同じオーディオ信号を供給する。或いは、複数チャンネルのオーディオ信号を供給する構成としてもよい。
【００２９】
次に、図１１及び図１２を参照して、スピーカユニット１１０を２個配置すると共に、その２個のスピーカユニット１１０の振動板１２０Ｌ，１２０Ｒの配置状態を、図１の例とは変えた例について説明する。図１１は正面から見た図であり、図１２は上面から見た図である。図１１及び図１２において、ｔは卵型形状の球形のスピーカボックス１０１の頂点を示し、図１２はその頂点を中心に示してある。
【００３０】
この例では、図１２に示すように、卵型形状の球形のスピーカボックス１０１を有するスピーカ装置１００の側面に、１８０°よりも短い間隔（例えば１２０°間隔）で２つのバッフル部１０１ａを配置して、それぞれのバッフル部１０１ａに透孔１０１ｂを設ける。それぞれの透孔１０１ｂには、それぞれ別のスピーカユニット１１０を配置し、２つの振動板１２０Ｌ，１２０Ｒが透孔１０１ｂに収まるようにする。各バッフル部１０１ａの裏側のスピーカボックス１０１内の空間は、それぞれ個別に仕切られた空間として、各スピーカユニット１１０が相互に干渉しない構成としてある。
【００３１】
このように２つのスピーカユニットの振動板１２０Ｌ，１２０Ｒを近接して配置することで、卵型形状の球形のスピーカボックス１０１から、ある程度周波数特性に方向を持って音が出力されることになる。即ち、例えば振動板１２０Ｌから左チャンネルのオーディオ信号を出力させ、振動板１２０Ｒから右チャンネルのオーディオ信号を出力させることで、スピーカボックス１０１のほぼ正面（図１１に示した面）を向いた人に対して、左右双方のチャンネルのオーディオを良好な周波数特性で聞かせることが可能になる。２つの振動板１２０Ｌ，１２０Ｒを駆動するスピーカユニットに、全て同じオーディオ信号を供給するようにしてもよい。
【００３２】
次に、図１３及び図１４を参照して、スピーカユニット１１０を５個配置した例について説明ずる。図１３は正面から見た図であり、図１４は上面から見た図である。図１３及び図１４において、ｔは卵型形状の球形のスピーカボックス１０１の頂点を示し、図１４はその頂点を中心に示してある。
【００３３】
この例では、図１３に示すように、卵型形状の球形のスピーカボックス１０１を有するスピーカ装置１００の側面に、５つのバッフル部１０１ａを配置して、それぞれのバッフル部１０１ａに透孔１０１ｂを設ける。５つの透孔１０１ｂには、それぞれ別のスピーカユニット１１０を配置し、５つの振動板１２０Ｌ，１２０Ｒ，１２０Ｃ，１２０ＲＬ，１２０ＲＲが透孔１０１ｂに収まるようにする。図１３では、３つの振動板１２０Ｌ，１２０Ｒ，１２０Ｃが見えた状態となっており、裏側の振動板１２０ＲＬ，１２０ＲＲは破線で示してある。図１３から判るように、５つの振動板１２０Ｌ，１２０Ｒ，１２０Ｃ，１２０ＲＬ，１２０ＲＲは、この例では均等な間隔では配置していないが、均等な角度位置ごとに５つを配置してもよい。各バッフル部１０１ａの裏側のスピーカボックス１０１内の空間は、それぞれ個別に仕切られた空間として、各スピーカユニット１１０が相互に干渉しない構成としてある。
【００３４】
このように５つのスピーカユニットの振動板１２０Ｌ，１２０Ｒ，１２０Ｃ，１２０ＲＬ，１２０ＲＲを配置することで、卵型形状の球形のスピーカボックス１０１の側面から、５つの方向に音が出力されることになり、スピーカボックス１０１の周囲のどの角度位置にいる人に対しても、周波数特性が良好な音を聞かせることができるようになる。
【００３５】
５つの振動板１２０Ｌ，１２０Ｒ，１２０Ｃ，１２０ＲＬ，１２０ＲＲを駆動するスピーカユニットには、全て同じオーディオ信号を供給する場合と、複数チャンネルのオーディオ信号を供給する場合のいずれでもよい。
複数チャンネルのオーディオ信号を供給する場合には、例えば、振動板１２０Ｌから左フロントチャンネルのオーディオ信号を出力させ、振動板１２０Ｒから右フロントチャンネルのオーディオ信号を出力させ、振動板１２０Ｃからセンターチャンネルのオーディオ信号を出力させ、振動板１２０ＲＬから左リアーチャンネルのオーディオ信号を出力させ、振動板１２０ＲＲから右リアーチャンネルのオーディオ信号を出力させる。
【００３６】
このように５チャンネルの信号をそれぞれ別のスピーカユニットの振動板から出力させることで、１つのスピーカ装置１００を使って、５つの方向にそれぞれの方向に適した音を出力させることが可能となり、マルチチャンネルオーディオを、１つのスピーカ装置１００だけで良好に再生できるようになる。
【００３７】
次に、図１５を参照して、各スピーカユニットを２ウェイ構成とした例について説明ずる。図１５の例は、図１の例と同様に、２つのスピーカユニット１１０の振動板１２０Ｌ，１２０Ｒを、ほぼ１８０°間隔で配置した例である。この例では、各バッフル部１０１ａの振動板１２０Ｌ，１２０Ｒ配置位置の上側に、高域音を再生するツィータ用スピーカユニット１３０Ｌ，１３０Ｒを配置した構成としたものである。従って、ツィータ用スピーカユニット１３０Ｌ，１３０Ｒについても、ほぼ１８０°間隔で配置してある。この場合、各振動板１２０Ｌ，１２０Ｒからは、低域音及び中域音の出力を行い、ツィータ用スピーカユニット１３０Ｌ，１３０Ｒからは高域音の出力を行う。
２チャンネルオーディオ信号を供給する場合には、振動板１２０Ｌを駆動するスピーカユニットと、ツィータ用スピーカユニット１３０Ｌとに、左チャンネルのオーディオ信号を供給し、振動板１２０Ｒを駆動するスピーカユニットと、ツィータ用スピーカユニット１３０Ｒとに、右チャンネルのオーディオ信号を供給する。
このように複数配置したそれぞれのスピーカユニットを、高域とそれ以外の帯域との２ウェイ構成としたことで、スピーカユニットとしてそれぞれ周波数特性に優れたものが使用でき、よりスピーカ装置として良好な特性とすることができる。
なお、図１５の例では、図１のスピーカ装置を２ウェイ構成とした例を示したが、図９，図１１，図１３の構成のスピーカ装置を、同様に２ウェイ構成としてもよい。
【００３８】
なお、ここまで説明した実施の形態では、振動板とバッフルとがほぼ同一曲率で連続した曲面形状と説明したが、ここでのほぼ同一曲率で連続した曲面形状とは、必ずしも振動板とバッフルとの曲率が同じであることを意味するのではない。本発明の場合には、ここまでの説明から判るように、スピーカ装置を表面から見て、振動板とバッフルとが連続したように見える曲面になっていることを意味しており、それぞれの曲率が異なっても問題はない。また、図１〜図４の例では、卵形状のスピーカボックスの曲率の緩い曲面（大きな曲率）の箇所に振動板を配置したが、卵形状の頂点部（例えば図１の上側）に透孔を設けて、その透孔に振動板を配置した構成としてもよい。この場合には、バッフル部よりも振動板の方が、曲率が小さくなるが、このような形状も本発明でのほぼ同一曲率で連続した曲面形状に含まれる。
【図面の簡単な説明】
【００３９】
【図１】本発明の一実施の形態によるスピーカ装置の例を示す正面側の斜視図である。
【図２】本発明の一実施の形態によるスピーカ装置の斜め左側の斜視図である。
【図３】本発明の一実施の形態によるスピーカ装置を上面から見た上面図である。
【図４】本発明の一実施の形態によるスピーカ装置の例を示す断面図である。
【図５】本発明の一実施の形態によるスピーカユニットの例を示す斜視図である。
【図６】本発明の一実施の形態によるスピーカ装置の指向特性の例（ａ）と、従来の指向特性の例（ｂ）を示した特性図である。
【図７】本発明の他の実施の形態によるスピーカ装置の例（エッジを直接接続した例）を示す正面側の斜視図である。
【図８】図７例の断面図である。
【図９】本発明の他の実施の形態によるスピーカ装置の例（３つのユニットの例）を示す正面側の斜視図である。
【図１０】図９例のスピーカ装置を上面から見た上面図である。
【図１１】本発明の他の実施の形態によるスピーカ装置の例（２つのユニットを近づけた例）を示す正面側の斜視図である。
【図１２】図１１例のスピーカ装置を上面から見た上面図である。
【図１３】本発明の他の実施の形態によるスピーカ装置の例（５つのユニットの例）を示す正面側の斜視図である。
【図１４】図１３例のスピーカ装置を上面から見た上面図である。
【図１５】本発明の他の実施の形態によるスピーカ装置の例（２ウェイ構成の例）を示す正面側の斜視図である。
【図１６】従来のスピーカ装置の構成例を示す斜視図である。
【符号の説明】
【００４０】
１００…スピーカ装置、１０１…スピーカボックス、１０１ａ…バッフル部、１０１ｂ…透孔、１１０，１１０…スピーカユニット、１１１…フレーム、１１１ａ…フレーム外周部、１１２…磁気回路、１１２ａ…磁石、１１２ｂ…ヨーク、１１２ｃ…ギャップ、１１３…コイルボビン、１１３ａ…ボイスコイル、１１４…ダンパ、１１５…補強材、１１６…接続部材、１１７…制振材、１２０Ｃ，１２０Ｌ，１２０Ｒ，１２０ＲＬ，１２０ＲＲ，１２０Ｘ，１２０Ｙ，１２０Ｚ…振動板、１２１…エッジ部、１２２…側面部、１２３…リブ、１３０Ｌ，１３０Ｒ…ツィータ用スピーカユニット、１４０…仕切り
【図１】
2010081441.tif 000003
【図２】
2010081441.tif 000004
【図３】
2010081441.tif 000005
【図４】
2010081441.tif 000006
【図５】
2010081441.tif 000007
【図６】
2010081441.tif 000008
【図７】
2010081441.tif 000009
【図８】
2010081441.tif 000010
【図９】
2010081441.tif 000011
【図１０】
2010081441.tif 000012
【図１１】
2010081441.tif 000013
【図１２】
2010081441.tif 000014
【図１３】
2010081441.tif 000015
【図１４】
2010081441.tif 000016
【図１５】
2010081441.tif 000017
【図１６】
2010081441.tif 000018